(57)【要約】【課題】燃料供給方法およびシステムを提供する。【解決手段】移動電話機を用いてコードを得て、このコードを手作業で燃料ポンプに入力することによって、燃料ポンプを解放する。【選択図】      図１
2008525286.tif 000002
【特許請求の範囲】
【請求項１】
燃料ポンプの解放方法であって、
移動電話機（１０１）からの第１コードを制御システム（１０３）に送信するステップ（１、２）と、  
前記制御システム（１０３）において、前記移動電話機（１０１）を携行するユーザの残高をチェックするステップと、
前記制御システム（１０３）において、第２コードを生成するステップと、
前記第２コードを前記制御システム（１０３）から前記移動電話機（１０１）に送信するステップ（３）と、
燃料ポンプ（１０４）において、該燃料ポンプにおけるキーパッドを通じて、前記第２コードを受信するステップ（４）と、
前記第２コードを前記燃料ポンプ（１０４）から前記制御システム（１０３）に送信するステップ（５）と、
前記制御システム（１０３）から前記燃料ポンプ（１０４）に、有効性確認を送信するステップ（６）と、
使用のために前記燃料ポンプ（１０４）を解放するステップと、
を備えている、方法。
【請求項２】
請求項１記載の方法であって、更に、
音声応答システム（１０２）において、前記移動電話機（１０１）からの前記第１コードを受信するステップと、
前記音声応答システム（１０２）から前記制御システム（１０３）に前記第１コードを送信するステップ（２）と、
を備えている、方法。
【請求項３】
燃料ポンプの解放システムであって、移動電話機（１０１）と、制御システム（１０３）と、燃料ポンプ（１０４）とを備えており、前記制御システム（１０３）を前記移動電話機（１０１）にリンクし、前記制御システム（１０３）を前記燃料ポンプ（１０４）にリンクしており、
前記移動電話機は、第１コードを前記制御システム（１０３）に送信する手段を備えており、前記移動電話機は、更に、前記制御システム（１０３）から第２コードを受信する手段を備えており、
前記制御システム（１０３）は、前記第１コードを前記移動電話機（１０１）から受信する手段を備えており、前記制御システム（１０３）は、更に、前記移動電話機（１０１）を携行するユーザの残高をチェックする手段を備えており、前記制御システム（１０３）は、更に、前記第２コードを生成し、該第２コードを前記移動電話機（１０１）に送信する手段を備えており、前記制御システム（１０３）は、更に、前記第２コードを前記燃料ポンプ（１０４）から受信する手段を備えており、前記制御システム（１０３）は、更に、有効性確認を前記燃料ポンプ（１０４）に送信する手段を備えており、
前記燃料ポンプ（１０４）は、該燃料ポンプにおけるキーパッドを通じて前記第２コードを受信する手段を備えており、前記燃料ポンプ（１０４）は、更に、前記第２コードを前記制御システム（１０３）に送信する手段を備えており、前記燃料ポンプ（１０４）は、更に、前記有効性確認を前記制御システム（１０３）から受信する手段を備えており、前記燃料ポンプ（１０４）は、更に、使用のために前記燃料ポンプを解放する手段を備えている、システム。
【請求項４】
請求項３記載のシステムであって、更に、音声応答システム（１０２）を備えており、
前記移動電話機（１０１）は、前記第１コードを前記音声応答システム（１０２）に送信する手段を備えており、
前記制御システム（１０３）は、前記音声応答システム（１０２）から前記第１コードを受信する手段を備えており、
前記音声応答システム（１０２）は、前記移動電話機（１０１）から前記第１コードを受信する手段を備えており、前記音声応答システム（１０２）は、更に、前記第１コードを前記制御システム（１０３）に送信する手段を備えている、システム。
【請求項５】
燃料ポンプの解放システムにおいて用いるための制御システムであって、該制御システム（１０３）は、移動電話機（１０１）にリンクされており、前記制御シスステム（１０３）は、燃料ポンプ（１０４）にリンクされており、
前記制御システム（１０３）は、前記移動電話機（１０１）から第１コードを受信する手段を備えており、前記制御システム（１０３）は、更に、前記移動電話機（１０１）を携行するユーザの残高をチェックする手段を備えており、前記制御システム（１０３）は、更に、第２コードを生成し、該第２コードを前記移動電話機（１０１）に送信する手段を備えており、前記制御システム（１０３）は、更に、前記燃料ポンプ（１０４）から前記第２コードを受信する手段を備えており、前記制御システム（１０３）は、更に、有効性確認を前記燃料ポンプ（１０４）に送信する手段を備えている、制御システム。
【請求項６】
請求項５記載の制御システムにおいて、前記制御システム（１０３）は、更に、音声応答システム（１０２）から前記第１コードを受信する手段を備えている、制御システム。
【発明の詳細な説明】
【技術分野】
【０００１】
本発明は、燃料供給方法およびシステムに関する。更に特定すれば、本発明は、燃料ポンプの解放方法およびシステムに関するものである。
【背景技術】
【０００２】
燃料供給に対して支払いを行う際、通常、会計窓口において現金、銀行カード、またはクレジット・カードを用いて支払う。更に進んだ燃料供給方法は、燃料ポンプを用いるのに先立って燃料ポンプにおいて支払いを済ませることによって燃料ポンプを解放することであり、燃料ポンプに銀行カードまたはクレジット・カードを挿入し、銀行カードまたはクレジット・カードを用いてある金額を先払いすることによって、燃料ポンプが解放される。
【０００３】
ＷＯ９８／５４６７８（特許文献１）には、直立して(upright)燃料への自動進入路を確立するシステムおよび車両に給油する方法が記載されている。燃料ポンプへの自動進入路を確立するシステムは、ガソリン・スタンドに付随する燃料ポンプを規制する分散制御ユニットと、中央制御ユニットとを備えている。制御ユニットは、移動電話機から送信される無線信号によって活性化される。移動電話機に属する第１の一意のコードが、同じ電話機に識別番号とリンクされ、番号および／またはコードが、ユニット内にあるデータとリンクされる。分散制御ユニットは、燃料ポンプに対して一意であり電話機を通じて入力される第２コードを、ポンプに伴うステータスと共にリンクする。ポンプは、移動電話機から送信される無線信号によって活性化される。
【０００４】
ＷＯ９８／５４６７８（特許文献１）のシステムの欠点は、移動電話機が、直接的にまたは中間システムを介して間接的に、燃料ポンプと相互作用することができなければならないことである。
【特許文献１】ＷＯ９８／５４６７８
【発明の開示】
【発明が解決しようとする課題】
【０００５】
従来技術では、移動電話機が燃料ポンプと相互作用することなく、移動電話を用いて支払いを行い、燃料供給を可能にする解決策を提供することができない。
本発明の目的は、移動電話機が燃料ポンプと相互作用することなく、移動電話を用いて支払いを行い、燃料供給を可能にする方法およびシステムを提供することである。
【課題を解決するための手段】
【０００６】
本発明は、移動電話機が燃料ポンプと相互作用することなく、移動電話を用いて支払いを行うことができる、燃料供給の解決策を提供する。
本発明の一態様によれば、燃料ポンプの解放方法およびシステムを提供する。本方法は、以下のステップ、または以下のステップの部分集合から成ることができ、本システムは、これらのステップを処理するための手段を備えることができる。第１コードを移動電話機から制御システムに送信するステップ、制御システムにおいて、移動電話機を携行するユーザの残高をチェックするステップ、制御システムにおいて第２コードを生成するステップ、制御システムから移動電話機に第２コードを送信するステップ、燃料ポンプにおいて、当該燃料ポンプにおけるキーパッドを通じて、第２コードを受信するステップ、第２コードを燃料ポンプから制御システムに送信するステップ、有効性確認を制御システムから燃料ポンプに送信するステップ、および使用のために燃料ポンプを解放するステップ。これには、燃料ポンプを解放するための第２コードを移動電話機を用いて取り込み、手作業で燃料ポンプにおいて第２コードを入力し、支払いを行うことができる。本方法は、更に、音声応答システムにおいて第１コードを移動電話機から受信するステップと、第１コードを音声応答システムから制御システムに送信するステップとを備えることができる。これには、第２コードを取り込む際に、移動電話機のユーザを音声によって誘導することができるという利点がある。
【０００７】
本発明の別の態様によれば、前述のような、燃料ポンプの解放システムにおいて用いるための制御システムを提供する。この制御システムは、一方では、第２コードを生成し、この第２コードを移動電話機のユーザに供給することができ、他方では、第２コードを手作業で燃料ポンプに入力した後に、第２コードの有効性をチェックすることができるという利点がある。
【０００８】
本発明は、燃料ポンプに限定されるのではない。本発明は、水ポンプのような、他の種類のポンプを解放するためにも用いることができる。更に、本発明は、自動販売機における支払い方法としても用いることができる。
【発明を実施するための最良の形態】
【０００９】
これより、図面に示す実施形態例を参照しながら、本発明について更に詳しく説明する。
本発明は、カードまたは現金で支払いを行うことなく、燃料スタンドにおいて車両に給油する新規なシステムを提供する。無線電話機によって活性化することができ、所与の燃料ポンプを解放することができる中央制御システムが必要となる。この制御システムでは、顧客、電話番号、個人コード、および彼らの残高を管理する。
【００１０】
図１において、次の６ステップに分けて本システムの動作について説明する。顧客の管理をどのように行うかについては記載しない。尚、本システムにおいては、ユーザは、彼の電話番号および個人コード（ｐｉｎ）と共に知られており、彼の車両（１００）に給油することが許可されている（即ち、彼の残高はプラスである）と仮定する。
【００１１】
１．ユーザがＩＶＲ番号を呼び出す。
ユーザは、移動電話機（１０１）を用いて番号を呼び出し、対話型音声応答システムＩＶＲ（１０２）に接続される。ユーザは、彼の個人ｐｉｎコードを入力するように要求される。
【００１２】
２．個人コードによる認証。
ＩＶＲは、電話機の識別コード（電話番号）を、入力された個人コードと共に、中央制御システム（１０３）に受け渡す。システムは、この組み合わせが有効か否かチェックする。有効でない場合、信号をＩＶＲに送信し、ユーザにこのデータが無効であることを知らせる。
【００１３】
３．残高−バウチャのチェックおよび供給。
認証チェックの後、ユーザの残高をチェックする。十分でない場合、ユーザに知らせるようにＩＶＲを促す。残高が十分である場合、システムは新たなコード（第２コード）を生成し、ＳＭＳによってユーザの電話機に送信される。このコードは、バウチャとして作用する。第２コードの供給は、ユーザが燃料スタンドに到着する前に行うことができるので、燃料スタンドにおいて彼の移動電話機で呼び出す必要はない。本方法は安全である。何故なら、ユーザ自身のみがこの第２コードを受信しているからである。コードは、ある時間量、例えば、３０分間は有効である。
【００１４】
４．ユーザは燃料ポンプにおいてバウチャを入力する。
燃料スタンドに到着すると、ユーザは、受信している第２コードを、燃料ポンプ（１０４）のキーパッドから入力する。
【００１５】
５．バウチャが有効か否かのチェック
燃料ポンプ（１０４）は、入力されたコードを中央制御システム（１０３）に受け渡す。システムは、コードの有効性をチェックする。これが意味するのは、このコードによって、中央制御システムがユーザを認識するということである。
【００１６】
６．燃料ポンプを解放する。
入力されたコードが有効な場合、コードをブロックし(block)、トランザクションを管理し、燃料ポンプに信号を受け渡し、それを解放して使用できるようにする。使用後、燃料ポンプは結果、即ち、リットル量および金額を送信する。
【００１７】
本発明は、燃料ポンプに限定されるのではない。本発明は、水ポンプのような、他の種類のポンプを解放するためにも用いることができる。更に、本発明は、自動販売機における支払い方法としても用いることができる。
【図面の簡単な説明】
【００１８】
【図１】図１は、本発明によるシステムの動作を示す。
【図１】
2008525286.tif 000003
【国際調査報告】
2008525286.tif 000004
2008525286.tif 000005